(57)【要約】  【課題】従来のゴルフクラブヘッドに比べて打ち出されたゴルフボールの飛距離および打感、さらには方向性を向上させることのできるゴルフクラブヘッドを提供する。  【解決手段】ゴルフクラブヘッド１０は、打撃面１６を有するフェース部１８が、引張最大強度で３５０（ＭＰａ）以上の高強度マグネシウム合金からなる部材で構成されている。このため、フェース部１８を薄肉化でき軽量化することができる。これによりゴルフクラブヘッドの設計自由度を広げることができ、ゴルフボールの飛距離と方向性、さらにはゴルフボールの打撃時の打感が良好なゴルフクラブを実現する。【選択図】図１
2005211271.tif 000002
【特許請求の範囲】
【請求項１】
ゴルフボールを打撃する打撃面を有するゴルフクラブヘッドであって、
前記打撃面を有するフェース部が、引張最大強度が３５０（ＭＰａ）以上のマグネシウム合金からなる部材で構成されたことを特徴とするゴルフクラブヘッド。
【請求項２】
前記フェース部とともに、ゴルフクラブシャフトを挿入、固定するホーゼル部が前記部材により構成されたものである請求項１に記載のゴルフクラブヘッド。
【請求項３】
前記ゴルフクラブヘッドが設定されているライ角度およびロフト角度を成すように水平面にセットしたときの、前記ゴルフクラブヘッドの重心を通り、前記水平面に直交する鉛直線周りの慣性モーメントが２０００(ｇ・ｃｍ２)以上である請求項１または２に記載のゴルフクラブヘッド。
【請求項４】
ゴルフクラブヘッドの重心高さが２３（ｍｍ）以下である請求項１〜３のいずれか１項に記載のゴルフクラブヘッド。
【請求項５】
ゴルフクラブヘッドの重心深さが２ｍｍ以上である請求項１〜４のいずれか１項に記載のゴルフクラブヘッド。
【請求項６】
ゴルフクラブヘッドのヘッド体積に対するゴルフクラブヘッドのヘッド質量の比率が３（ｇ／ｃｍ２）以上である請求項１〜５のいずれか１項に記載のゴルフクラブヘッド。
【請求項７】
比重が８以上の高比重金属からなる調整部材が接合されている請求項１〜６のいずれか１項に記載のゴルフクラブヘッド。
【発明の詳細な説明】
【技術分野】
【０００１】
本発明は、アイアン系のゴルフクラブヘッド、例えば、ゴルフクラブヘッド本体に中空領域のない中実のゴルフクラブヘッド、あるいは、一部中空領域を有するゴルフクラブヘッドに関する。
【背景技術】
【０００２】
アイアン系のゴルフクラブは、従来ゴルフボールを打撃するフェース面に例えばチタン合金（比重略４．５）を使用して、フェース面の軽量化を図る一方、高比重の金属重量体を重心調整錘（調整部材）として所望の位置に配置することにより、慣性モーメントの増大や低重心化を行ない、打ち出されたゴルフボールの飛距離の向上や方向性を向上させている。また、重心を打撃面から遠ざけるように重心深さを変えることもできる。しかし、重心調整錘を所望の位置に配置する方法は、重心位置を微妙に調整したり、慣性モーメントを微妙に調整する調整方法に過ぎず、重心高さや重心深さ等の重心位置を変化させる程度や上記慣性モーメントを増大させる程度には限界がある。
【０００３】
一方において、チタン合金よりも比重が小さいアルミニウム合金（比重略２．５）を打撃面に使用してゴルフクラブヘッド全体における軽量化を行ない、軽量化された分を重心調整錘の調整分に当てて、重心調整錘による調整自由度を高めることも行なわれている。しかし、例えば、７０７５アルミニウム合金の場合、この合金の物性強度（引張最大強度）は低いため、打撃面を形成するフェース部材として用いる場合、部材の肉厚を厚くしなければならない。このため、肉厚を厚くする分、比重が低いアルミニウム合金のメリットを有効に生かすことができず、ゴルフクラブヘッドの重心位置や慣性モーメントを変化させる程度には限界があった。
【０００４】
下記特許文献１には、ゴルフボールに対する反発性能を向上させる点から、ゴルフボールを打撃する打撃面（フェース面）に、マグネシウム又はマグネシウム合金をマトリクスとして強化材を分散したマグネシウム合金基複合材料からなる部材を、アイアン系のゴルフクラブヘッドに用いることが開示されている。ところで、マグネシウムまたはマグネシウム合金の比重は１．７〜１．９であるためゴルフクラブヘッドの軽量化に有効であるものの、引っ張り強度がせいぜい３００ＭＰａ以下と低い。このため、フェース部材の肉厚を厚くしなければならず、ゴルフクラブヘッドの重心位置や慣性モーメントを変化させる程度にも限界があった。このため重心調整錘を用いてゴルフボールの飛距離の向上や方向性を向上させるように自在に調整することはできない。
【０００５】
【特許文献１】特開平９−１９２２７５号公報
【発明の開示】
【発明が解決しようとする課題】
【０００６】
そこで、本発明は、従来のゴルフクラブヘッドに比べて打ち出されたゴルフボールの飛距離の向上や打感さらには方向性を向上させることのできるゴルフクラブヘッドを提供することを目的とする。
【課題を解決するための手段】
【０００７】
上記目的を達成するために、本発明は、ゴルフボールを打撃する打撃面を有するゴルフクラブヘッドであって、前記打撃面を有するフェース部が、引張最大強度が３５０（ＭＰａ）以上のマグネシウム合金からなる部材で構成されたことを特徴とするゴルフクラブヘッドを提供する。
【０００８】
ここで、マグネシウム合金とは、マグネシウムの質量％が８５％以上である合金をいう。
前記ゴルフクラブヘッドは、例えば、前記フェース部とともに、ゴルフクラブシャフトを挿入、固定するホーゼル部が前記部材により構成されたものである。前記引張最大強度は６００（ＭＰａ）以下であるのが好ましい。
【０００９】
前記ゴルフクラブヘッドが設定されているライ角度およびロフト角度を成すように水平面にセットしたときの、前記ゴルフクラブヘッドの重心を通り、前記水平面に直交する鉛直線周りの慣性モーメントが２０００(ｇ・ｃｍ２)以上であるのが好ましく、この慣性モーメントの範囲は２０００〜４０００（ｇ・ｃｍ２)であるのが好ましい。
また、ゴルフクラブヘッドの重心高さが２３（ｍｍ）以下であるのが好ましく、重心高さの範囲は１０〜２３（ｍｍ）であるのが好ましい。また、ゴルフクラブヘッドの重心深さが２ｍｍ以上であるのが好ましい。この重心深さの範囲は２〜１８（ｍｍ）であるのが好ましい。
【００１０】
さらに、ゴルフクラブヘッドのヘッド体積に対するゴルフクラブヘッドのヘッド質量の比率が３（ｇ／ｃｍ３）以上であるのが好ましく、この比率の範囲として３〜１３（ｇ／ｃｍ３）であるのが好ましい。
また、比重が８以上の高比重金属からなる調整部材が接合されているのも好ましく、比重の範囲は８〜２０であるのが好ましい。
【発明の効果】
【００１１】
本発明のゴルフクラブヘッドは、ゴルフクラブヘッドの打撃面を有するフェース部の引張最大強度が３５０（ＭＰａ）以上のマグネシウム合金からなる部材で構成されているので、ゴルフクラブヘッドの強度を確保するために必要な部材の肉厚を薄くすることができ、この部材の質量を従来に比べて軽くすることができる。このため、この部材の質量が軽減された分を重心調整錘等の調整部材に従来に比べて多く振り分けて重心位置および所望の慣性モーメントを調整することができる。この結果、打ち出されたゴルフボールの飛距離の向上、打感の向上、さらには方向性の向上を達成することができる。
【発明を実施するための最良の形態】
【００１２】
以下、本発明のゴルフクラブヘッドについて、添付の図面に示される好適実施例を基に詳細に説明する。
【００１３】
図１（ａ）は、本発明のゴルフクラブヘッドの一実施形態であるゴルフクラブヘッド１０の正面図、（ｂ）は、ゴルフクラブヘッド１０の、図１（ａ）に示すＡ−Ａ’矢視断面図である。
【００１４】
ゴルフクラブヘッド１０は、ゴルフクラブヘッド本体部１２と、ゴルフクラブシャフトを挿入してゴルフクラブヘッド本体部１２に結合させるホーゼル部１４とが１つの部材にて一体的に設けられたアイアン系のゴルフクラブヘッドである。
ゴルフクラブヘッド１０は、ゴルフクラブヘッドのヘッド体積に対するゴルフクラブヘッドのヘッド質量の比率が３（ｇ／ｃｍ３）以上１３（ｇ／ｃｍ３）以下であり、ゴルフボールを打撃する打撃面１６を有するフェース部１８およびホーゼル部１４が、引張最大強度が３５０（ＭＰａ）以上の高強度マグネシウム合金（比重略１．９）からなる部材で構成されている。この引張最大強度は、実質的に６００（ＭＰａ）を上限とする。
【００１５】
ここで、高強度マグネシウム合金は、例えばＡＭ６０に２質量％のＳｉＯ２を含有するマグネシム合金で、反復式強制塑性加工法により製造されたものが例示される。また、押出加工されたＭｇ−Ａｌ−Ｚｎ−Ｃａ等の組成を有するマグネシウム合金も例示される。
本発明におけるマグネシウム合金は、マグネシウムの質量％が８５％以上の合金をいう。
【００１６】
ゴルフクラブヘッド本体部１２のソール部分には、図１（ｂ）に示すように、比重が８以上２０以下のタングステン合金からなる重心調整錘１９(図１（ｂ）中の黒領域)が接合されて慣性モーメントおよび重心位置が調整されている。
ここで、慣性モーメントは、具体的にはゴルフクラブヘッド１０に設定されているライ角度およびロフト角度を成すようにゴルフクラブヘッド１０を水平面Ｙ（図１（ｂ）参照）にセットしたときの、ゴルフクラブヘッド１０の重心Ｇを通り、水平面に直交する鉛直線Ｘ（図１（ｂ）参照）周りの慣性モーメントである。そして、重心調整錘１９の調整に組より、慣性モーメントが２０００(ｇ・ｃｍ２)以上４０００(ｇ・ｃｍ２)以下に調整されている。この慣性モーメントは、打撃面１６がトウ側またはヒール側に向きを変えて回転するときの慣性モーメントである。この慣性モーメントの規定により、後述するようにゴルフボールの飛弾方向のばらつきが小さくなる。
また、ゴルフクラブヘッド１０の重心高さは、重心Ｇを通る打撃面１６に垂直の垂線Ｍが打撃面１６と交わる点ｇ（図１（ｂ）参照）の、水平面Ｙからの高さＨであり、この高さＨが１０（ｍｍ）以上２３（ｍｍ）以下に調整されている。重心深さＬは、打撃面１６のリーディングエッジから点ｇにいたる距離によって定義され、この重心深さＬが２ｍｍ以上、好ましくは２ｍｍ以上１８ｍｍ以下に調整されている。このゴルフクラブヘッド１０の重心深さＬは、挿入されるゴルフクラブシャフトの中心軸Ｓを基準として測定される重心後退量Ｌ１およびフェースプログレションＬ２の和で求められる。
なお、重心高さは公知の測定器を用いて得ることができる。また、重心深さは、例えば公知の測定器を用いて求められる重心後退量およびフェースプログレションの和として求めることができる。
【００１７】
なお、上述の、ゴルフクラブヘッドがゴルフクラブヘッドに設定されているライ角度およびロフト角度を成すようにゴルフクラブを水平面にセットするとは、水平面上にゴルフクラブヘッドを通常のアドレスポジションに設置することと同等である。
このような設置は、図２に示すロフト角度を測定するロフト角度測定器８０を用いて行なうことができる。具体的には、まず、ゴルフクラブヘッド１０にゴルフクラブシャフトを差し込みゴルフクラブとしてロフト角度測定器８０に取り付けた状態において、基準面８２に対してライ角度通りに設置するようにライ角度調整部８３において取り付け角度が調整される。次いで、ロフト角度測定器８０に取り付けられたゴルフクラブは、ソール部１５が基準面８２に接するように、かつ、フェース角度調整具８６の先端部８６ａに打撃面１６が密着するように、すなわち、フェース角が０°になるように、ゴルフクラブがチャック部８８で固定される。
【００１８】
ここで、ライ角度通りに設置とは、スコアライン１７がフェース角度調整治具８６の先端部８６ａと平行になるように設置することをいう。また、スコアラインが直線でない等、スコアラインによる判別が困難な場合、ソール部１５が、図４のように、ソール部１５のトウ側（Ｔ）とヒール側（Ｈ）の間で凸状に丸くなっている場合、基準面８２とソール部１５の間に生じる隙間がトウ側とヒール側で略等しくなるように設置することをいう。
さらに、ソール部１５の凸状の部分が不明瞭であり、かつスコアラインが直線状でなく基準面８２との平行が判別できない場合、上述したように、ライ角度は、１００−ゴルフクラブ長さ（インチ）の値として設定されてライ角度通りに設置される。なお、ゴルフクラブ長さは、ゴルフクラブヘッドにおけるソール面とネック部の背部の接点からグリップエンド（キャップの丸みを含まない）までの長さである。例えば、３６インチのゴルフクラブ長さの場合、ライ角度６４度（＝１００−３６）とする。ゴルフクラブ長さは、例えば株式会社鴨下精衡所製のクラブ・メジャーII等の測定器を用いて、社団法人日本ゴルフ用品協会が基準とするトラディショナル・スタンダード測定法により測定される。
【００１９】
なお、設定されているロフト角度は、図２および図３に示すロフト角度測定器８０を用いて実際に測定して得ることができる。図５に示すように、基準面８２に垂直に立てた分度器９０を用いてロフト角度θが測定される。打撃面１６が平面の場合、上記測定によってロフト角度θが得られるが、打撃面１６が凸状に丸くなっている場合、図６に示すように、打撃面１６の中点に分度器９０の測定面が接するように当てて測定される。
ロフト角度θは、上述のように、ゴルフクラブシャフトをゴルフクラブヘッドに差し込んで測定する他、ゴルフクラブヘッド単体にシャフトピンを差し込んで測定することも可能である。ゴルフクラブヘッド単体で測定して得られるロフト角度θの数値は、上述のゴルフクラブによって測定して得られるロフト角度θと実質的に同じである。
【００２０】
このような測定器は、市販されている公知のものであればよく、例えば、高爾夫球頭測度台（昇峰企業社製）、ゴルフクラブアングル測定器（ゴルフギャレーヂ社製）およびゴルフクラブゲージ（Ｇｏｌｆｓｍｉｔｈ社製）等が例示される。
このようにしてゴルフクラブヘッド１０を水平面Ｙにセットしたときの、ゴルフクラブヘッド１０の重心Ｇを通り、水平面に直交する鉛直線Ｘ周りの慣性モーメントが調整されている。
【００２１】
また、重心高さＨは、図１（ｂ）に示されるように、重心Ｇを通る打撃面１６に垂直の垂線Ｌが打撃面１６と交わる点ｇを定め、ゴルフクラブヘッドを水平面に、定義されるライ角度およびロフト角度になるようにゴルフクラブヘッド１０をセットしたとき、すなわち通常のアドレスポジションに設置したとき、基準面から点ｇに至る高さをいう。
【００２２】
点ｇは、図７に示すような重心測定器１４１によって求められる。重心測定器１４１は、上部に重心測定対象物を支持する支持部１４２を備え、この支持部１４２が測定対象物を平衡に支持する測定対象物の位置を知ることができるものである。すなわち、重心の測定方法は、図８（ａ）に示すようにゴルフクラブヘッド１０を、支持部１４２に載せ、手を放しても落ちない平衡な位置を探しだす。つまり、図８（ａ）に示すように、打撃面１６と支持部１４２の接触部に点ｇを含んでいれば、ゴルフクラブヘッド１０を支持部１４２に載せて手を放しても落ちないが、図８（ｂ）に示すように、打撃面１６と支持部１４２の接触部に点ｇを含んでいなければ、ゴルフクラブヘッド１０は、支持部１４２に載せて手を放すと落ちる。このことを利用して点ｇを求める。
【００２３】
支持部１４２は平面または３点以上で支持する形態であることが好ましい。また、支持部１４２の面積は、１５ｍｍ２以下であることが好ましい。また、下限はゴルフクラブヘッドが支えられる限り特に限定されない。支持部１４２の面積は、平面であれば平面部分の面積、３点以上で支持する形態であれば各点を結んだ図形の面積によって示される。支持部の面積を上記の範囲に設定することによって、より正確に点ｇを求めることができる。
【００２４】
支持部１４２によって支持された平面は水平または概ね水平になることが好ましい。ここで、概ね水平とは、水平面に対する傾きが２度以内、好ましくは１度以内のことである。水平または概ね水平になっているか否かは、例えば図９に示すように、支持部１４２に平面板１５１を載せて支持させ、平面板１５１の上に水準器１５２を置き、確認し、調整することができる。上記範囲内に設定することによって、より正確に点ｇを求めることが可能になる。
【００２５】
一方、重心深さＬは重心後退量Ｌ１およびフェースプログレションＬ２の和として求められる。
重心後退量Ｌ１は、特開２００３−１１１８７４号公報の図６に示されるような、支点を中心に揺動可能なシーソー型の天秤計によって測定される。この天秤計は、ゴルフクラブヘッドのホーゼル部の孔に対して隙間の無い嵌め合いを持つ鉛直方向に延びるシャフトピンを有し、ゴルフクラブヘッドや重量体を装着しない状態では、天秤計のアームが水平になるように釣り合っている。ここで、鉛直方向に延びるシャフトピンにゴルフクラブヘッドを嵌め込み、ゴルフクラブヘッドをシャフトピンの周りに回転させて重心後退量Ｌ１の長さがアーム長手方向に沿うように設定する。この状態でアーム長手方向に沿って所定の重量体を移動して天秤計のアームが釣り合うようにする。そして、釣り合い状態のときの上記重量体の位置を求める。その結果、重量体の位置の支点からの距離を求め、この距離を用いてモーメントの釣り合いの式から重心後退量Ｌ１を求める。このような測定器としては、株式会社鴨下精衡所製の重心測定器が例示される。
一方、フェースプログレションＬ２は、図２に示すロフト角度測定器８０によって、上述したライ角度通りにゴルフクラブヘッドを設置した状態で、打撃面１６のリーディングエッジからゴルフクラブシャフトの中心軸Ｓに至る距離（図１（ｂ）参照）を測定することで得られる。
【００２６】
このような重心位置（重心高さＨ、重心深さＬ）および慣性モーメントの調整は、打撃面１６を有するゴルフクラブヘッド本体部１２が、引張最大強度で３５０（ＭＰａ）以上の高強度マグネシウム合金で構成されているので、ＡＺ９１等の引っ張り強度が３５０ＭＰａ未満のマグネシウム合金を用いる場合に比べてフェース部中央の肉厚を薄くすることができ、例えば、肉厚を１ｍｍ以上薄くすることができ、ゴルフクラブヘッド本体部１２の質量を軽減することができる。このため、後述する実施例に示すように、従来と同等の質量のゴルフクラブヘッドを作製する場合、タングステン合金等の高比重金属からなる重心調整錘１９を従来に比べて多く用いることができ、重心調整錘１９によって重心位置（重心深さＬ、重心高さＨ）および慣性モーメントを大きく調整することができる。
【００２７】
図１０（ａ）は、本発明のゴルフクラブヘッドの他の実施形態であるゴルフクラブヘッド２０の正面図、図１０（ｂ）は、ゴルフクラブヘッド２０の、図１０（ａ）に示すＢ−Ｂ’矢視断面図である。
【００２８】
ゴルフクラブヘッド２０は、ゴルフクラブヘッド１０と同様に、ゴルフクラブヘッド本体部２２と、ゴルフクラブシャフトを挿入してゴルフクラブヘッド本体部２２に結合させるホーゼル部２４とが１つの部材で一体的に設けられたアイアン系のゴルフクラブヘッドである。ゴルフクラブヘッド２０は、ゴルフクラブヘッドのヘッド体積に対するゴルフクラブヘッドのヘッド質量の比率が３（ｇ／ｃｍ２）以上であり、ゴルフボールを打撃する打撃面２６を有するフェース部２８およびホーゼル部２４は、引張最大強度が３５０（ＭＰａ）以上の上述の高強度マグネシウム合金からなる部材で構成されている。
ゴルフクラブヘッド１０と異なる点は、タングステン合金により構成された重心調整錘２９が、ゴルフクラブヘッド本体部２２のソール部分の他に、ゴルフクラブヘッド本体部２２のトウ側およびヒール側にも接合されて、低重心化、重心深さの増大および慣性モーメントの増大が図られている。
【００２９】
図１１（ａ）は、本発明のゴルフクラブヘッドの他の実施形態であるゴルフクラブヘッド３０の正面図、図１１（ｂ）は、ゴルフクラブヘッド３０の、図１１（ａ）に示すＣ−Ｃ’矢視断面図である。
ゴルフクラブヘッド３０は、ゴルフクラブヘッド本体部３２とゴルフクラブシャフトを挿入してゴルフクラブヘッド本体部３２に結合させるホーゼル部３４とが１つの部材で一体的に設けられ、ゴルフクラブヘッド本体部３２に打撃面を有するフェース部材３６が接合されて設けられたアイアン系のゴルフクラブヘッドである。
【００３０】
ゴルフクラブヘッド３０は、ゴルフクラブヘッドのヘッド体積に対するゴルフクラブヘッドのヘッド質量の比率が３（ｇ／ｃｍ２）以上であり、フェース部材３６は、引張最大強度が３５０（ＭＰａ）以上の上述の高強度マグネシウム合金からなる部材で構成されている。一方、ゴルフクラブヘッド本体部３２およびホーゼル部３４は、比重が７．８のステンレス合金からなる部材（図１１（ａ），（ｂ）中の灰色領域）で構成されている。ゴルフクラブヘッド３０は、タングステン合金により構成された重心調整錘３９が、ゴルフクラブヘッド本体部３２のソール部分に接合されて、低重心化、重心深さの増大および慣性モーメントの増大化が図られている。
【００３１】
図１２（ａ）は、本発明のゴルフクラブヘッドの他の実施形態であるゴルフクラブヘッド４０の正面図、図１２（ｂ）は、ゴルフクラブヘッド４０の、図１２（ａ）に示すＤ−Ｄ’矢視断面図である。
ゴルフクラブヘッド４０は、ゴルフボールを打撃する打撃面４６とゴルフクラブシャフトを挿入して結合させるホーゼル部４４とが設けられたゴルフクラブヘッド本体部４６を有し、ゴルフクラブヘッド本体部４２には打撃面４６の周りを囲むように部材４７が設けられたアイアン系のゴルフクラブヘッドである。ゴルフクラブヘッド４０は、ゴルフクラブヘッドのヘッド体積に対するゴルフクラブヘッドのヘッド質量の比率が３（ｇ／ｃｍ２）以上である。打撃面４６の背面はゴルフクラブヘッド４０の背面として露出した構成となっている。打撃面４６を有するフェース部材は、引張最大強度が３５０（ＭＰａ）以上の上述の高強度マグネシウム合金からなる部材で構成されている。部材４４および部材４７は、ステンレスからなる部材によって構成されている（図１２（ａ），（ｂ）中の灰色領域）。また、ゴルフクラブヘッド４０は、タングステン合金により構成された重心調整錘４９が、部材４７により形成されるソール部分に接合されて、低重心化、重心深さの増大および慣性モーメントの増大が図られている。
【００３２】
図１３（ａ）は、本発明のゴルフクラブヘッドの他の実施形態であるゴルフクラブヘッド５０の正面図、図１３（ｂ）は、ゴルフクラブヘッド５０の、図１３（ａ）に示すＥ−Ｅ’矢視断面図である。
ゴルフクラブヘッド５０は、ゴルフクラブヘッド本体部５２とゴルフクラブシャフトを挿入してゴルフクラブヘッド本体部５２に結合させるホーゼル部５４とが一体的に設けられ、ゴルフクラブヘッド本体部５２に打撃面５６を有するフェース部材５８が設けられたアイアン系のゴルフクラブヘッドである。ゴルフクラブヘッド本体部５２にフェース部材５８が接合されることによってゴルフクラブヘッド５０に中空領域が形成されている。ゴルフクラブヘッド５０は、ゴルフクラブヘッドのヘッド体積に対するゴルフクラブヘッドのヘッド質量の比率が３（ｇ／ｃｍ２）以上に制限され、打撃面５６を有するフェース部材５８は、引張最大強度が３５０（ＭＰａ）以上の上述の高強度マグネシウム合金からなる部材で構成されている。一方、ゴルフクラブヘッド本体部５２およびホーゼル部５４は、比重が７．８のステンレス材で構成されている（図１３（ａ），（ｂ）中の灰色領域）。ゴルフクラブヘッド５０は、タングステン合金により構成された重心調整錘５９が、ゴルフクラブヘッド本体部５２の中空領域内に接合されて設けられ、低重心化、重心深さの増大および慣性モーメントの増大が図られている。
【００３３】
このようにゴルフクラブヘッド１０〜５０は、ゴルフクラブヘッドのヘッド体積に対するゴルフクラブヘッドのヘッド質量の比率が３（ｇ／ｃｍ２）以上であり、かつ、打撃面を有するフェース部が、引張最大強度で３５０（ＭＰａ）以上のマグネシウム合金からなる部材で構成されており、以下に示す実施例からわかるように、従来のゴルフクラブヘッドに比べて質量調整錘を多く使用でき、打ち出されたゴルフボールの飛距離の向上および方向性を向上させることができる。さらに、打感も向上する。
【実施例】
【００３４】
ロフト角度が２６度のアイアン系のゴルフクラブヘッドを１２種（Ｎｏ１〜Ｎｏ．１２）作製し、これらのゴルフクラブヘッドに同じゴルフクラブシャフトを装着してゴルフクラブを組み立て、実際にゴルフボールを試打して、打感、飛距離およびゴルフボールの方向性を調べた。トラディショナル・スタンダード測定法により測定されるゴルフクラブ長さを３７．５インチとした。
下記表１に作製した各ゴルフクラブヘッドの構成内容を示す。
【００３５】
【表１】
2005211271.tif 000003
【００３６】
作製したＮｏ．１〜Ｎｏ．１２のゴルフクラブヘッドのうち、Ｎｏ．１〜Ｎｏ．７が高強度マグネシウム合金（比重１．９）をフェース部中央に用いたゴルフクラブヘッドであり、本発明のゴルフクラブヘッドに該当する。Ｎｏ．１は図１０（ａ），（ｂ）に示すゴルフクラブヘッドの形態、Ｎｏ．２〜Ｎｏ．７，Ｎｏ．１０，１１は、図１３（ａ），（ｂ）に示すゴルフクラブヘッドの形態、Ｎｏ．８は図１２（ａ），（ｂ）に示すゴルフクラブヘッドの形態、Ｎｏ．９は図１１（ａ），（ｂ）に示すゴルフクラブヘッドの形態であり、Ｎｏ．７，９〜１２は比重が８以上の高比重金属からなる重心調整錘が接合されていない。
Ｎｏ．８〜１１は、引張最大強度が２４０（ＭＰａ）のマグネシウム合金（比重１．８）であるＡＺ９１をフェース中央部に用いた。
【００３７】
Ｎｏ．１〜Ｎｏ．７は、引張最大強度が３５０（ＭＰａ）以上であるためフェース部中央の肉厚を薄肉化することができ、肉厚を４．２ｍｍとしている。この肉厚は、ＡＺ９１マグネシウム合金をフェース部材に用いたＮｏ．８〜１１のゴルフクラブヘッドの肉厚５．６ｍｍに比べて略２５％薄い。また、ステンレス材を用いたＮｏ．１２のゴルフクラブヘッドの打撃面の肉厚は、Ｎｏ．１〜Ｎｏ．６の中で、２．２ｍｍと最も薄いが、比重が７．７と大きい。
なお、作製されたゴルフクラブヘッドには、いずれも合計の質量が一定となるように重心調整錘が設けられた。
【００３８】
このようなゴルフクラブヘッドＮｏ．１〜Ｎｏ．１２を備えた１２種のゴルフクラブを用いて、１０球ずつ３０人のゴルファにゴルフボールを試打してもらい、打感、ゴルフボールの飛距離および方向性を調べた。結果は、下記表２の通りである。結果は、それぞれ、Ｎｏ．１２を基準（１００）として指数化している。打感は、ゴルファの官能評価により点数化して数値化した。打感の指数が高くなるほど柔らかい打感を有し、アイアン系のゴルフクラブとして好ましものとなることを意味する。飛距離は、指数が高くなるほど大きな飛距離であることを意味する。方向性は、指数が高いほど１０球試打したときのゴルフボールの飛弾方向の角度のばらつきが小さくなる（標準偏差が小さくなる）ことを意味する。また、打感、飛距離および方向性の指数を合計した合計点を算出して、総合評価を行なった。
【００３９】
【表２】
2005211271.tif 000004
【００４０】
表２によると、打撃面を有するフェース部が、引張最大強度で３５０（ＭＰａ）以上のマグネシウム合金からなる部材で構成されたＮｏ．１〜Ｎｏ．７は、基準とするＮｏ．１２およびＮｏ．８〜１１対比、総合評価で優れていることがわかる。特に、Ｎｏ．１〜Ｎｏ．７はフェース部の中央の薄肉化により、柔らかな打感となる。この中でも特に、Ｎｏ．１は、ホーゼル部も高強度マグネシウム合金を用いて構成されているので、打球時の振動の減衰が大きく、より柔らかな打感となって高い評価を得ている。
【００４１】
また、本発明のゴルフクラブヘッドに該当するＮｏ．１〜７の中で、慣性モーメントが２０００(ｇ・ｃｍ２)以上であるＮｏ．１〜３は、Ｎｏ．４〜７に比べて飛距離および方向性がより一層向上し、総合評価でも一層優れた結果を示している。また、重心高さＨを２３ｍｍ以下とするＮｏ．１〜４は、Ｎｏ．５〜７に比べて打感および飛距離がより一層向上し、総合評価でも優れた結果を示している。また、重心深さＬを２ｍｍ以上とするＮｏ．１〜５は、Ｎｏ．６，７に比べて飛距離がより一層向上し、総合評価でも優れた結果を示している。
【００４２】
以上、ゴルフクラブヘッドは、フェース部に引張最大強度で３５０（ＭＰａ）以上のマグネシウム合金を用いてフェース部を構成することが必要である。
このように、本発明のゴルフクラブヘッドは、打撃面を有するフェース部が、引張最大強度が３５０（ＭＰａ）以上のマグネシウム合金からなる部材で構成されているので、飛距離、打感および方向性において、アイアン系のゴルフクラブヘッドとして好ましい特性を有することは明らかである。
【００４３】
以上、本発明のゴルフクラブヘッドについて詳細に説明したが、本発明は上記実施形態に限定されず、本発明の主旨を逸脱しない範囲において、種々の改良や変更をしてもよいのはもちろんである。
【図面の簡単な説明】
【００４４】
【図１】（ａ）は本発明のゴルフクラブヘッドの一実施形態であるゴルフクラブヘッドの正面図、（ｂ）は（ａ）に示すゴルフクラブヘッドのＡ−Ａ’矢視断面図である。
【図２】ゴルフクラブヘッドのロフト角度の測定に用いるロフト角度測定器を説明する図である。
【図３】図２に示すロフト角度測定器を用いたゴルフクラブヘッドの設置方法を説明する図である。
【図４】図２に示すロフト角度測定器を用いたゴルフクラブヘッドの設置方法を説明する図である。
【図５】図２に示すロフト角度測定器を用いたロフト角度の測定方法の一例を説明する図である。
【図６】図２に示すロフト角度測定器を用いたロフト角度の測定方法の別の例を説明する図である。
【図７】重心位置を計る重心測定器を説明する図である。
【図８】（ａ）および（ｂ）は、重心位置を計る方法を説明する図である。
【図９】重心位置を計る重心測定器を説明する図である。
【図１０】（ａ）は本発明のゴルフクラブヘッドの他の実施形態であるゴルフクラブヘッドの正面図、（ｂ）は、（ａ）に示すゴルフクラブヘッドのＢ−Ｂ’矢視断面図である。
【図１１】（ａ）は本発明のゴルフクラブヘッドの他の実施形態であるゴルフクラブヘッドの正面図、（ｂ）は、（ａ）に示すゴルフクラブヘッドのＣ−Ｃ’矢視断面図である。
【図１２】（ａ）は本発明のゴルフクラブヘッドの他の実施形態であるゴルフクラブヘッドの正面図、（ｂ）は、（ａ）に示すゴルフクラブヘッドのＤ−Ｄ’矢視断面図である。
【図１３】（ａ）は本発明のゴルフクラブヘッドの他の実施形態であるゴルフクラブヘッドの正面図、（ｂ）は、（ａ）に示すゴルフクラブヘッドのＥ−Ｅ’矢視断面図である。
【符号の説明】
【００４５】
１０，２０，３０，４０，５０  ゴルフクラブヘッド
１２，２２，３２，４２，５２  ゴルフクラブヘッド本体部
１４，２４，３４，４４，５４  ホーゼル部
１５  ソール部
１６，２６，４６，５６  打撃面
１８，２８，５８  フェース部
１９，２９，３９，４９，５９  重心調整錘
３６  フェース部材
４７  部材
８０  ロフト角度測定器
８２  基準面
８３  ライ角度調整部
８６  フェース角度調整具
８６ａ  先端部
８８  チャック部
１４１  重心測定器
１４２  支持部
１５１  平面板
１５２  水準器
【図１】
2005211271.tif 000005
【図２】
2005211271.tif 000006
【図３】
2005211271.tif 000007
【図４】
2005211271.tif 000008
【図５】
2005211271.tif 000009
【図６】
2005211271.tif 000010
【図７】
2005211271.tif 000011
【図８】
2005211271.tif 000012
【図９】
2005211271.tif 000013
【図１０】
2005211271.tif 000014
【図１１】
2005211271.tif 000015
【図１２】
2005211271.tif 000016
【図１３】
2005211271.tif 000017